(57)【要約】【課題】本体電源がオンされたままの状態で電池を引き抜こうとした場合でも本体電源を安全にオフすることができる電子機器を提供する。【解決手段】電子装置及び電子装置に駆動電力を供給する電池３２８を含む本体１０１と、本体１０１にスライド式に取り外し可能な本体ケース１０２と、本体ケース１０２が本体１０１から取り外されることにより作動する検出スイッチ３００とを有する電子機器に、検出スイッチ３３０が作動するとハードディスクドライブ３２４等の電子装置を安全に停止させるために必要な事前処理を実行する機能と、事前処理の終了後に電池３２８による電子装置の各構成要素への駆動電力の供給を停止する処理を実行する機能とを設ける。【選択図】  図４
2006302366.tif 000002
【特許請求の範囲】
【請求項１】
電子装置及び前記電子装置に駆動電力を供給する電源を含む本体と、
前記本体に取り外し可能な本体ケースと、
前記本体ケースが前記本体から取り外されることにより作動する検出スイッチと、
を含み、
前記電子装置は、前記検出スイッチが作動すると前記電子装置を安全に停止させるために必要な事前処理を実行する機能と、前記事前処理の終了後に前記電源による前記電子装置への前記駆動電力の供給を停止する処理を実行する機能と、
を有すること
を特徴とする電子機器。
【請求項２】
請求項１に記載の電子機器であって、
前記電源は電池であり、
前記本体は、前記本体ケースを前記本体から取り外すことにより前記電池を交換可能な状態で収容する電池ホルダを含むこと
を特徴とする電子機器。
【請求項３】
請求項１に記載の電子機器であって、
前記検出スイッチは、前記本体ケースが前記本体から脱着される際、前記本体ケースに接触することにより可動する可動部と、前記可動部が可動することによりオンオフされる接点と、
を含んで構成されること
を特徴とする電子機器。
【請求項４】
請求項３に記載の電子機器であって、
前記可動部は、前記本体ケースが前記本体に装着された状態では、当該電子機器の外観に露出しない状態で前記本体に収容されること
を特徴とする電子機器。
【請求項５】
請求項１に記載の電子機器であって、
前記電子装置はハードディスクドライブを含み、
前記事前処理は、前記ハードディスクドライブのヘッドを退避させる処理であること
を特徴とする電子機器。
【請求項６】
請求項１に記載の電子機器であって、
ＣＰＵと、ハードディスクドライブと、前記検出スイッチが作動したのに応じて前記ＣＰＵに割込信号を送信する割込生成回路と、前記電源による前記電子装置への前記駆動電力の供給を制御する電源制御回路と、
を含み、
前記割込生成回路は、前記検出スイッチが作動したのに応じて前記ＣＰＵに割込信号を送信し、
前記ＣＰＵは、前記割込信号を受信すると、前記ハードディスクドライブのヘッドを退避させる処理を実行し、
前記ＣＰＵは、前記アンロード処理の終了後に前記電源制御回路を制御して、前記電源による前記電子装置への前記駆動電力の供給を停止させること
を特徴とする電子機器。
【請求項７】
請求項１に記載の電子機器であって、
前記電子装置は、デジタル音声ファイルを再生する携帯型装置であること
を特徴とする電子機器。
【発明の詳細な説明】
【技術分野】
【０００１】
本発明は電子機器に関し、とくに本体電源がオンされたままの状態で電池を引き抜こうとした場合でも、本体電源が安全にオフされるようにする技術に関する。
【背景技術】
【０００２】
精密な電子部品を用いて構成される電子機器のなかには、本体電源をオフする際に、内部の電子装置に支障を来さぬよう電子装置を安全に停止させるための処理（以下、事前処理という）を行ってから本体電源をオフするようにしているものがある。例えば、ハードディスドライブを内蔵する電子機器には、ハードディスクドライブの記録メディアに損傷を与えることのないように、通常はハードディスクドライブのヘッドを記録メディアの外に退避（アンロード）させてから本体電源をオフする仕組みが設けられている。
【特許文献１】特開２００２−７８０５６号公報
【発明の開示】
【発明が解決しようとする課題】
【０００３】
ところで、ＭＰ３等のデジタル音声ファイルを再生する携帯型のデジタル音声プレーヤ等、昨今の電子機器等の多くはその駆動電力として電池が用いられている。このような電子機器には、本体電源がオンされたままの状態で電池を取り外そうとした場合でも、上記事前処理が確実に行われるようにする仕組みを設ける必要がある。
【０００４】
本発明はこのような背景に鑑みてなされたもので、本体電源を安全にオフすることができる電子機器を提供することを目的とする。
【課題を解決するための手段】
【０００５】
上記目的を達成するための本発明のうちの主たる発明は、電子機器であって、電子装置及び前記電子装置に駆動電力を供給する電源を含む本体と、前記本体に取り外し可能な本体ケースと、前記本体ケースが前記本体から取り外されることにより作動する検出スイッチと、を含み、前記電子装置は、前記検出スイッチが作動すると前記電子装置を安全に停止させるために必要な事前処理を実行する機能と、前記事前処理の終了後に前記電源による前記電子装置への前記駆動電力の供給を停止する処理を実行する機能とを有することとする。
【発明の効果】
【０００６】
本発明によれば、本体電源を安全にオフすることができる電子機器を提供することができる。
【発明を実施するための最良の形態】
【０００７】
以下、本発明の一実施形態にかかる音声データの再生録音装置（以下、デジタル音声プレーヤ１という）につき詳細に説明する。本実施形態で説明するデジタル音声プレーヤ１は、ユーザが外出時等に携帯して持ち運ぶことが可能な小型の電子機器であって、ＭＰ３（MPEG-1 Audio Layer3）形式やＷＡＶ形式等のフォーマットで記録されたファイル（以下、デジタル音声ファイルという）の再生や録音を行う電子機器である。
【０００８】
図１Ａ乃至図１Ｈに本実施形態のデジタル音声プレーヤ１の外観を示している。図１Ａ及び図１Ｂはデジタル音声プレーヤ１を正面上方から見た斜視図である。図１Ｃ乃至図１Ｈはデジタル音声プレーヤ１の６面図である。このうち図１Ｃは正面図、図１Ｄは背面図、図１Ｅは右側面図、図１Ｆは左側面図、図１Ｇは平面図、図１Ｈは底面図である。図１Ｉはデジタル音声プレーヤ１を右側面から見た図１ＣのＡ−Ａ’線における断面図である。
【０００９】
図１Ａ又は図１Ｂに示すように、デジタル音声プレーヤ１の電子装置が収容される筐体１０は、酒瓶等の液体を収容する瓶（ボトル）を模した形状を呈している。筐体１０には酒瓶の瓶口を塞ぐキャップを模した形状からなる蓋体２０が装着される。なお、図１Ａは蓋体２０を装着した状態を示しており、図１Ｂは蓋体２０を取り外した状態を示している。
【００１０】
図１Ｃ等に示すように、筐体１０の正面中央には、デジタル音声プレーヤ１の再生／録音状態を示す情報やインデックス情報（トラック番号、曲名、歌手名、演奏時間等）、電池残量等が表示される表示パネル１３が設けられている。また図１Ｅに示すように、筐体１０の右側面には、マイクロフォンや他のオーディオ機器のライン出力が接続される音声入力端子３１９、ヘッドホンやスピーカが接続される音声出力端子３２１が設けられている。図１Ｈに示すように、筐体１０の底面には、デジタル音声プレーヤ１がパーソナルコンピュータ等の情報処理装置との間で通信する際に用いられる通信端子３２６が設けられている。なお、デジタル音声プレーヤ１と情報処理装置との間の通信は、例えばＵＳＢ（Universal Serial Bus）やＩＥＥＥ１３９４等の規格に従って行われる。
【００１１】
図２にデジタル音声プレーヤ１の瓶口部分１２及び筐体１０の肩部周辺の拡大斜視図を示している。同図に示すように、デジタル音声プレーヤ１の瓶口部分１２には、デジタル音声プレーヤ１を操作するためのユーザインタフェース３１５が設けられている。ユーザインタフェース３１５は、筐体１０の表面に突設して設けられる円柱状の基体１２１と、この基体１２１と同軸に回動自在に設けられる円筒状のつまみ１２２と、基体１２１の頂面に設けられる操作部であるスティック１２３と、を含んで構成されている。なお、図２には示していないが、つまみ１２２の外側面には、滑り止めとして機能する溝が形成されている。
【００１２】
また図２に示すように、基体１２１の付け根の部分には、螺旋状の溝部からなる螺子１２４が形成されている。蓋体２０は、この螺子１２４に蓋体２０の内側面に形成されている螺旋状の溝部からなる螺子（不図示）を螺合させることにより、デジタル音声プレーヤ１に装着されるようになっている。
【００１３】
基体１２１の頂面に設けられているスティック１２３は、前後左右に傾斜させる操作及び筐体１０側への押込み操作が可能である。スティック１２３の操作に応じて筐体１０内に設けられている電気的な接点がオンオフされる。スティック１２３を傾斜させる操作により、例えばデジタル音声ファイルの再生（ＰＬＡＹ）や再生停止と本体電源のオフ（ＳＴＯＰ）、一時停止（ＰＡＵＳＥ）、早送り（ＦＦ）、及び巻き戻し（ＲＥＷ）、デジタル音声ファイルの検索や情報処理装置との通信等を行う際に利用されるメニュー画面の表示（ＭＥＮＵ）等を行うことができる。またスティック１２３を筐体１０側へ押し込む操作により、上記操作メニュー画面に選択対象として表示される対象の一つを選択する操作（ＥＮＴＥＲ）を行うことができる。図示していないが、基体１２１内に設けられた機構によって、ユーザがスティック１２３から指を離せばスティック１２３が自然に中立位置に復帰するようになっている。
【００１４】
基体１２１の頂面の周縁は、スティック１２３を操作するユーザの指に不快感を抱かせぬよう丸みがもたされている。また基体１２１の頂面のスティック１２３の周囲には、スティック１２３の操作に応じて行われるデジタル音声プレーヤ１の機能を表す表示１２５が設けられている。
【００１５】
つまみ１２２は、螺子１２４とスティック１２３との間の部分に設けられている。つまみ１２２を操作することにより、音量調節や表示パネル１３に表示される表示内容の制御等が可能である。
【００１６】
図３にデジタル音声プレーヤ１の筐体１０内に収容されている電子装置のブロック図を示している。同図に示すように、電子装置の各構成要素はバス５０を介して結合されている。構成要素のうちＣＰＵ３１１は、デジタル音声プレーヤ１が有する各種機能を実現するとともに、各種の処理についての統括的な制御を行う。メモリ３１２には、ＥＰＲＯＭ（Erasable Programmable Read Only Memory）やＥＥＰＲＯＭ（Electrically Erasable Programmable Read Only Memory）等からなるＲＯＭ（Read Only Memory）と、ＳＲＡＭ（Static Random Access Memory）やＤＲＡＭ（Dynamic Random Access Memory）等からなるＲＡＭ（Random Access Memory）とが含まれる。このうちＲＯＭには、主としてデジタル音声プレーヤ１の各種の機能を実現するプログラムやデータが記憶される。またＲＡＭには各種のデータが記憶される。なお、ＲＡＭはハードディスクドライブ３２４から読み出されるデジタル音声ファイルの一時的な格納場所としても用いられる。
【００１７】
ＣＯＤＥＣ３１３は、デジタル音声ファイルのエンコードやデコードを行う。ＣＯＤＥＣ３１３は、デジタル音声プレーヤ１の再生動作時において、デジタル音声ファイルをデコードして生成したデジタルデータをビットストリーム形式で音声出力インタフェース３２０に供給する。なお、デコードして生成されるデジタルデータは、例えばＰＣＭ（Pulse Code Modulation）形式やＡＤＰＣＭ（Adaptive Differential Pulse Coded Modulation）形式等からなるデータである。またＣＯＤＥＣ３１３は、デジタル音声プレーヤ１の録音動作時において、音声入力インタフェース３１８から転送されてくるデジタルデータを受信して、これをエンコードする。なお、エンコードされるデジタルデータは、例えばＰＣＭ形式やＡＤＰＣＭ形式のデータである。ＣＰＵ３１１は、ＣＯＤＥＣ３１３によってエンコードされたデータによってデジタル音声ファイルを生成する。
【００１８】
入力信号処理部３１４は、スティック１２３やつまみ１２２等のユーザインタフェース３１５から送られてくる操作入力信号をＣＰＵ３１１に供給する。表示制御部３１６は、ＣＰＵ３１１から送られてくる表示制御信号に応じて表示装置３１７を制御する。表示パネル１３を構成している表示装置３１７は、例えばＬＣＤ（Liquid crystal Display）や有機ＥＬディスプレイ（Electro Luminescence Display）である。
【００１９】
音声入力インタフェース３１８は、音声入力端子３１９に入力されるアナログ音声信号を増幅及びＡ／Ｄ変換してＰＣＭ形式やＡＤＰＣＭ形式のデジタルデータを生成する。音声入力端子３１９には、マイクロフォンや他のオーディオ機器等のＬＩＮＥ出力が接続される。
【００２０】
音声出力インタフェース３２０は、ＣＯＤＥＣ３１３から供給されるビットストリーム形式のデジタルデータを受信して、このデジタルデータをＤ／Ａ変換及び増幅して音声出力端子３２１に出力する。ハードディスクコントローラ３２３は、ハードディスクドライブ３２４に対するデータの書き込みや読み出し等、ハードディスクドライブ３２４に関する制御を行う。ハードディスクドライブ３２４としては、例えば数Ｇバイト程度の容量を有するものが用いられる。ハードディスクドライブ３２４にはデジタル音声ファイル等のデータが記憶される。
【００２１】
通信インタフェース３２５は、通信端子３２６に接続する情報処理装置との間でＵＳＢやＩＥＥＥ１３９４等の規格に従って通信を行う。通信端子３２６には、パーソナルコンピュータ等の情報処理装置が接続される。
【００２２】
電源としての電池３２８は、例えば乾電池等の一次電池、又はＮｉＣｄ、ＮｉＨ、ＬｉＩｏｎ等の二次電池であり、電子装置に駆動電力を供給する。電源制御回路３２７は、ＤＣ／ＤＣコンバータを含み、電池３２８の電圧をデジタル音声プレーヤ１の各構成要素を駆動させるのに必要となる電圧に変換する。また電源制御回路３２７は、ＣＰＵ３１１と通信を行い、デジタル音声プレーヤ１の電子装置の各構成要素への電力供給（本体電源のオンオフ等）を制御する。また電源制御回路３２７は、電池３２８の電圧（以下、電池電圧という）をリアルタイムに計測し、計測した電圧値をＡ／Ｄ変換してバス５０に供給する機能も備える。
【００２３】
加速度センサ３３２は、１方向又は２方向以上の重力成分を検出可能なセンサであって、作用する重力成分に相当するアナログ電圧を出力する。加速度センサ３３２によって検出されたアナログ電圧は、Ａ／Ｄコンバータ３３１によってデジタル値に変換されてバス５０に供給される。
【００２４】
なお、デジタル音声プレーヤ１の電子装置の構成要素のうち割込生成回路３２９及び検出スイッチ３３０については後述する。
【００２５】
次に、以上の構成からなるデジタル音声プレーヤ１の機能について説明する。まずデジタル音声プレーヤ１によるデジタル音声ファイルの再生機能について説明する。
【００２６】
デジタル音声ファイルの再生にあたり、ユーザはスティック１２３を操作してハードディスクドライブ３２４に記憶されているインデックス情報を表示させる。なお、上記操作は、例えばスティック１２３を前後左右等の所定方向に傾斜させることにより行われる。ＣＰＵ３１１は、上記操作が行われたことを検知すると、表示装置３１７にインデックス情報を表示する。
【００２７】
次にユーザは、表示装置３１７に表示されるインデックス情報の中から、再生したい音声を選択する。この操作は、つまみ１２２を回転させることにより表示装置３１７に再生したい音声のインデックス情報を表示させた後、スティック１２３を筐体１０側に押し込むことにより行われる。
【００２８】
以上のようにして再生対象となる音声が選択されると、次にＣＰＵ３１１は、選択された音声が記録されたデジタル音声ファイルをハードディスクドライブ３２４から読み出して、読み出したデジタル音声ファイルをメモリ３１２に記憶する。なお、ＣＰＵ３１１は、ハードディスクドライブ３２４から読み出そうとするデジタル音声ファイルのデータサイズが所定の閾値を超えているかどうかを判断し、超えている場合は再生対象となるデジタル音声ファイルの全体を一度にハードディスクドライブ３２４から読み出すのではなく、複数回に分けて段階的に読み出す。
【００２９】
次にＣＰＵ３１１は、メモリ３１２に記憶されているデジタル音声ファイルのＣＯＤＥＣ３１３へのビットストリーム形式での転送を開始する。またＣＯＤＥＣ３１３は、転送されてくるデジタル音声ファイルのデコードを開始するとともに、デコードされたデジタルデータのビットストリーム形式での音声出力インタフェース３２０への供給を開始する。
【００３０】
音声出力インタフェース３２０は、ＣＯＤＥＣ３１３から供給されるデジタルデータを受信すると、受信したデジタルデータをＤ／Ａ変換及び増幅して音声出力端子３２１に出力する。ＣＰＵ３１１は、再生動作中にユーザインタフェース３１５に対して再生停止（ＳＴＯＰ）や一時停止（ＰＡＵＳＥ）等の操作が行われたり、デジタル音声ファイルの再生が終了したりした場合には、ＣＯＤＥＣ３１３から音声出力インタフェース３２０へのデジタル音声信号の転送を中止する。以上のようにしてデジタル音声プレーヤ１によるデジタル音声ファイルの再生が行われる。
【００３１】
次に、デジタル音声プレーヤ１が備える音声入力端子３１９から入力されるアナログ音声信号を録音する機能について説明する。
【００３２】
録音に際しては、まずユーザがスティック１２３を操作して録音を開始するための指示を行う。上記指示が行われると、ＣＰＵ３１１は音声入力インタフェース３１８を制御して、音声入力端子３１９から入力されるアナログ音声信号のＡ／Ｄ変換及び増幅を開始する。これにより音声入力インタフェース３１８からＣＯＤＥＣ３１３へのビットストリーム形式でのデジタルデータの供給が開始される。
【００３３】
ＣＯＤＥＣ３１３は、音声入力インタフェース３１８から転送されてくるデジタルデータを受信して、受信したデジタルデータをエンコードし、エンコードによって生成されたデータをＣＰＵ３１１に転送する。ＣＰＵ３１１は、ＣＯＤＥＣ３１３から上記データを受信して、受信したデータに基づいてデジタル音声ファイルを生成する。ＣＰＵ３１１は、ハードディスクコントローラ３２３を制御して、生成した上記デジタル音声ファイルをハードディスクドライブ３２４に記憶する。
【００３４】
次に通信端子３２６にパーソナルコンピュータ等のコンピュータを接続して行われるデータ通信機能について説明する。ハードディスクドライブ３２４に記憶されているデジタル音声ファイルは、パーソナルコンピュータ等の情報処理装置において動作するソフトウエア（以下、管理ソフトウエアという）によって管理することが可能である。管理ソフトウエアは、情報処理装置に記憶されているデジタル音声ファイルをデジタル音声プレーヤ１に転送する機能、デジタル音声プレーヤ１に記憶されているデジタル音声ファイルを削除する機能等を提供する。通信端子３２６を介して行われるデータ通信機能は、このようにデジタル音声プレーヤ１と、管理ソフトウエアが動作する情報処理装置との間で行われるデータ通信に用いられる。上記データ通信は次のようにして行われる。まずユーザがユーザインタフェース３１５に対して情報処理装置との間での通信を開始するための所定の操作を行う。この操作は、例えばスティック１２３を所定の方向に傾斜させてメニュー画面を表示させ、つまみ１２２を回してデータ通信モードを表示させてスティック１２３を筐体１０側に押し込むことにより行われる。ＣＰＵ３１１は上記操作が行われたことを検知すると、通信インタフェース３２５を制御して情報処理装置との間で通信リンクを確立し、データ通信を開始する。以上により管理ソフトウエアがデジタル音声プレーヤ１のデジタル音声ファイルにアクセス可能な状態となる。
【００３５】
ところで、デジタル音声プレーヤ１の本体電源は、例えばユーザがスティック１２３に対して何らかの操作を行うことによりオンオフされる。すなわち、スティック１２３に対してユーザが何らかの操作を行うと、スティック１２３に付随して設けられている電気的な接点がオンオフされ、これより生じた電位差の変化が電源制御回路３２７によって検知されて本体電源がオンオフされる。またデジタル音声プレーヤ１の本体電源は、再生も録音も行われず、かつ、所定時間以上ユーザインタフェース３１５に対して何も操作がされないという条件（以下、電源オフ条件という）が成立した場合には自動的にオフされる。図４は、デジタル音声プレーヤ１の本体電源がオフされる場合にデジタル音声プレーヤ１によって行われる処理を説明するフローチャートである。ＣＰＵ３１１は、電源オフ条件が成立したかどうかをリアルタイムに監視している（Ｓ４１１）。ＣＰＵ３１１は、上記電源オフ条件が成立すると（Ｓ４１１：ＹＥＳ）、ハードディスクコントローラ３２３にヘッドを退避する処理（以下、アンロード処理という）を行う旨を指示する命令（以下、アンロード命令という）を送信する（Ｓ４１２）。ハードディスクコントローラ３２３は、アンロード命令を受信すると（Ｓ４１３）、アンロード処理を行う（Ｓ４１４）。ハードディスクコントローラ３２３は、アンロード処理が終了すると、アンロード処理の終了報告をＣＰＵ３１１に送信する（Ｓ４１５）。
【００３６】
ＣＰＵ３１１は、ハードディスクコントローラ３２３から上記終了報告を受信すると（Ｓ４１６）、電源制御回路３２７に本体電源をオフする旨を指示する命令（以下、電源オフ命令という）を送信する（Ｓ４１７）。電源制御回路３２７は、上記電源オフ命令を受信すると、デジタル音声プレーヤ１の本体電源をオフする（Ｓ４１８）。
【００３７】
ところで、デジタル音声プレーヤ１の本体電源は、以上の仕組みによってオフされるほか、ユーザによる電池交換等に際し、筐体１０の一部を構成している本体ケース１０２がデジタル音声プレーヤ１の本体１０１から取り外された場合においても自動的にオフされる。以下ではこの仕組みについて詳述する。
【００３８】
図５に本体ケース１０２が取り外された状態におけるデジタル音声プレーヤ１の本体１０１と、取り外された本体ケース１０２とを示している。同図に示すように、本体ケース１０２は、デジタル音声プレーヤ１の本体１０１を覆う（本体１０１の肩部を除く）形状を呈している。なお、本体ケース１０２の表示パネル１３が位置する部分には、アクリル樹脂等の材質からなる透明の窓１０２１が設けられている。本体ケース１０２の音声入力端子３１９及び音声出力端子３２１が位置する部分には、本体ケース１０２が本体１０１に装着された状態で音声入力端子３１９及び音声出力端子３２１を外部に露出させるための切欠部１０２２が設けられている。
【００３９】
デジタル音声プレーヤ１の本体１０１には、デジタル音声プレーヤ１に駆動電力を供給する電池３２８を収容するための電池収容部１０１１が設けられている。本体１０１の音声入力端子３１９、及び音声出力端子３２１が位置する部分の近傍には、本体ケース１０２が取り外されたことを検出するスイッチ（以下、検出スイッチ３３０という）が設けられている。
【００４０】
検出スイッチ３３０は、本体ケース１０２が本体に脱着される際に本体ケース１０２に接触し、本体ケース１０２が本体１０１に脱着されることにより可動する可動部３３０１を有している。また検出スイッチ３３０の内部には、可動部３３０１の動きに応じて、本体ケース１０２が本体１０１に装着された状態ではオフとなり、本体ケース１０２が本体１０１から取り外された状態ではオンするように作動する電気的な接点が設けられている。
【００４１】
本体ケース１０２が本体１０１に装着された状態では、可動部３３０１は本体ケース１０２に接触し、可動部３３０１は本体ケース１０２に押圧されることにより本体１０１側に傾斜して本体１０１側に収容される。一方、本体ケース１０２が本体１０１からスライド式に引き抜かれて取り外されてしまうと、検出スイッチ３３０に設けられている弾性機構の作用によって可動部３３０１は本体１０１から突出した状態になる。このような可動機構によって、検出スイッチ３３０は、本体ケース１０２が本体１０１から脱着される際に自動的にオンオフされることになる。
【００４２】
本体ケース１０２が本体１０１から取り外されて検出スイッチ３３０がオンされると、その旨を示す信号が割込生成回路３２９に入力される。割込生成回路３２９は、上記信号が入力されるとＣＰＵ３１１に割込信号を送信する。このようにして本体ケース１０２が本体１０１から取り外されたことがＣＰＵ３１１に通知される。
【００４３】
図６は本体ケース１０２が本体１０１から取り外された場合にデジタル音声プレーヤ１によって行われる処理を説明するフローチャートである。
【００４４】
本体ケース１０２が本体１０１から取り外されることにより検出スイッチ３３０がオンすると（Ｓ６１１）、割込生成回路３２９からＣＰＵ３１１に割込信号が送信される（Ｓ６１２）。ＣＰＵ３１１は、上記割込信号を受信すると（Ｓ６１３）、ハードディスクコントローラ３２３がアンロード処理を行う（Ｓ６１４〜Ｓ６１７）。
【００４５】
次にＣＰＵ３１１は、ハードディスクコントローラ３２３から上記アンロード処理の終了報告を受信すると（Ｓ６１８）、電源制御回路３２７に電源オフ命令を送信する（Ｓ６１９）。電源制御回路３２７は、電源オフ命令を受信すると本体電源をオフし、電池８２８から電子装置の各構成要素への駆動電力の供給を停止する（Ｓ６２０）。
【００４６】
このように、デジタル音声プレーヤ１は、電池交換等に際し筐体１０の一部を構成している本体ケース１０２がデジタル音声プレーヤ１の本体１０１から取り外された場合にそのことを自動的に検出し、ハードディスクドライブ３２４を安全に停止させるために必要な事前処理としてアンロード処理を行った後に本体電源をオフする。このため、本実施形態のデジタル音声プレーヤ１にあっては、ユーザが動作状態のまま電池を取り外そうとして本体ケース１０２を本体１０１から引き出しても、必ず事前処理が行われることとなり、電源をオフした後に電池交換等を安全に行うことができる。とくにハードディスクドライブ３２４を内蔵するデジタル音声プレーヤ１にあっては、ハードディスクドライブ３２４のヘッドが記録メディアの外に退避（アンロード）してから本体電源がオフされるため、ハードディスクドライブ３２４の記録メディアを安全に保護することができる。
【００４７】
また検出スイッチ３３０は、本体ケース１０２が本体１０１に装着された状態では外観に露出しないため、検出スイッチ３３０によってデジタル音声プレーヤ１の外観が損なわれることも無い。このように、本実施形態のデジタル音声プレーヤ１にあっては、機能を損なうことなく操作性を高めるとともに瓶形状という個性的な外観形状も確保されている。
【００４８】
次に電池残量の表示に関する機能について説明する。上述したように、電源制御回路３２７は、電池電圧をリアルタイムに計測し、計測した電池電圧をデジタル値としてバス５０に供給している。ＣＰＵ３１１は、このデジタル値に基づいて表示装置３１７に電池残量を表示する。
【００４９】
ここで本実施形態のデジタル音声プレーヤ１は、デジタル音声プレーヤ１の姿勢に応じて上記電池残量の表示形態を変化させる機能を備えている。図７はデジタル音声プレーヤ１が横向きである場合に表示装置３１７に表示される画面である。同図に示すように、デジタル音声プレーヤ１が横向きの時には、デジタル音声プレーヤ１の再生／録音状態を示す情報やインデックス情報の表示７１２とともに電池残量を示す図形７１１が表示装置３１７に表示される。一方、図８はデジタル音声プレーヤ１が縦になっている場合に表示装置３１７に表示される画面である。この場合には、表示装置３１７にはデジタル音声プレーヤ１の再生／録音状態を示す情報やインデックス情報は表示されず、デジタル音声プレーヤ１の縦方向に電池残量に応じて伸縮するインジケータ８１１が表示装置３１７の全面に表示される。ここでインジケータ８１１は、瓶内に満たされている液体の状態を模した形状になっており、電池残量に応じてインジケータ８１１によって瓶内に満たされている液体の様子が表現されるようにしている。
【００５０】
ここでこのようなデジタル音声プレーヤ１の姿勢に応じた電池残量の表示形態の切換は、加速度センサ３３２から供給されるデジタル値に基づいて行われる。加速度センサ３３２から供給されるデジタル値は、例えばデジタル音声プレーヤ１が縦になっている時に最大となり、横になっている時に最小となるように設定されている。ＣＰＵ３１１は、デジタル値が閾値以上であるかどうかに応じて表示装置３１７に表示する電池残量の表示形態を切り換える。
【００５１】
なお、電池残量の表示形態の切換に際しては、瓶内に満たされている液体によって生じる音声を模した音声（例えば、「チャポン」といった類の音声。以下、液音という）が音声出力端子３２１に出力される。すなわち、ＣＰＵ３１１は、加速度センサ３３２から供給されるデジタル値が閾値未満であった状態から閾値以上の状態に変化すると、ハードディスクドライブ３２４に記憶されている液音を記録したデジタル音声ファイルを読み出して、このデジタル音声ファイルを再生することによって音声出力端子３２１に液音を出力する。
【００５２】
なお、上記デジタル音声ファイルは、液音を出力する度にハードディスクドライブ３２４から読み出すのではなく、デジタル音声プレーヤ１の電源がオンされた後、最初に一度だけハードディスクドライブ３２４から読み出してこれをメモリ３１２（ＲＡＭ）に記憶しておき、以降はメモリ３１２（ＲＡＭ）上のデジタル音声ファイルに基づいて液音を出力する。また液音を記録したデジタル音声ファイルは、必ずしもハードディスクドライブ３２４に記憶されている必要はなく、例えばメモリ３１２（ＲＯＭ）に記憶しておくようにしてもよい。
【００５３】
以上に説明したように、本実施形態のデジタル音声プレーヤ１にあっては、表示装置３１７に表示する電池残量の表示形態が、デジタル音声プレーヤ１が横向きであるか縦であるかといった、デジタル音声プレーヤ１の姿勢に応じて切り換わる。またデジタル音声プレーヤ１が縦になっている時には瓶内に満たされている液体を模したインジケータ８１１によって電池残量が表示される。このように、本実施形態のデジタル音声プレーヤ１は、瓶形状という特有の形状を有することに加え、電池残量の表示によって瓶内に満たされている液体の状態が表現されるため、デジタル音声プレーヤ１の見た目の楽しさや美しさが引き立てられる。また電池残量の表示形態の切換に際しては、瓶内に満たされている液体によって生じる音声を模した液音が再生されるので、これによっても楽しさが引き立てられる。
【００５４】
以上、本発明の一実施形態につき詳細に説明したが、以上の実施形態の説明は本発明の理解を容易にするためのものであり、本発明を限定するものではない。本発明はその趣旨を逸脱することなく、変更、改良され得ると共に本発明にはその等価物が含まれることは勿論である。例えば、デジタル音声ファイルを記憶するための記憶メディアは、フラッシュメモリなどのハードディスクドライブ３２４以外のものであってもよい。また消費電力の低減と機構の簡素化の観点からは、上述した可動部３３０１が検出スイッチとして好適ではあるが、検出スイッチの構成はこれに限られるわけではなく、光センサやその他のセンサを用いて検出スイッチを構成することもできる。
【図面の簡単な説明】
【００５５】
【図１Ａ】本発明の一実施形態によるデジタル音声プレーヤ１を正面上方から見た斜視図である。
【図１Ｂ】本発明の一実施形態によるデジタル音声プレーヤ１を正面上方から見た斜視図である。
【図１Ｃ】本発明の一実施形態によるデジタル音声プレーヤ１の正面図である。
【図１Ｄ】本発明の一実施形態によるデジタル音声プレーヤ１の背面図である。
【図１Ｅ】本発明の一実施形態によるデジタル音声プレーヤ１の右側面図である。
【図１Ｆ】本発明の一実施形態によるデジタル音声プレーヤ１の左側面図である。
【図１Ｇ】本発明の一実施形態によるデジタル音声プレーヤ１の平面図である。
【図１Ｈ】本発明の一実施形態によるデジタル音声プレーヤ１の底面図である。
【図１Ｉ】本発明の一実施形態によるデジタル音声プレーヤ１の図１ＣにおけるＡ−Ａ’線における底面図である。
【図２】本発明の一実施形態によるデジタル音声プレーヤ１の瓶口部分１２及び筐体１０の肩部周辺の拡大斜視図である。
【図３】本発明の一実施形態によるデジタル音声プレーヤ１の筐体１０内に収容されている電子装置のブロック図である。
【図４】本発明の一実施形態によるデジタル音声プレーヤ１の電源がオフされる場合にデジタル音声プレーヤ１によって行われる処理を説明するフローチャートである。
【図５】本発明の一実施形態による本体ケース１０２が取り外された状態におけるデジタル音声プレーヤ１の本体１０１、及び取り外された本体ケース１０２を示す図である。
【図６】本発明の一実施形態による本体ケース１０２が本体１０１から取り外された場合にデジタル音声プレーヤ１によって行われる処理を説明するフローチャートである。
【図７】本発明の一実施形態によるデジタル音声プレーヤ１が横向きである場合に表示装置３１７に表示される画面を示す図である。
【図８】本発明の一実施形態によるデジタル音声プレーヤ１が縦になっている場合に表示装置３１７に表示される画面を示す図である。
【符号の説明】
【００５６】
１  デジタル音声プレーヤ
１０  筐体
１３  表示パネル
１０１  本体
１０２  本体ケース
３１１  ＣＰＵ
３２４  ハードディスクドライブ
３２８  電池
３３０  検出スイッチ
３２９  割込生成回路
【図１Ａ】
2006302366.tif 000003
【図１Ｂ】
2006302366.tif 000004
【図１Ｃ】
2006302366.tif 000005
【図１Ｄ】
2006302366.tif 000006
【図１Ｅ】
2006302366.tif 000007
【図１Ｆ】
2006302366.tif 000008
【図１Ｇ】
2006302366.tif 000009
【図１Ｈ】
2006302366.tif 000010
【図１Ｉ】
2006302366.tif 000011
【図２】
2006302366.tif 000012
【図３】
2006302366.tif 000013
【図４】
2006302366.tif 000014
【図５】
2006302366.tif 000015
【図６】
2006302366.tif 000016
【図７】
2006302366.tif 000017
【図８】
2006302366.tif 000018